(57)【要約】【課題】靴擦れの防止並びに靴ずれを起こした後に靴を履いても靴擦れの痛みを解消又は緩和し、更に靴擦れでできた傷口の拡大の防止又は保護、そして傷口の滅菌と治療ができるようにしたことを目的とする靴擦れ防止シートに関する。【解決手段】シート本体１が、足の裏から足首まで届く長さにしてこれを靴下又は靴（靴下を履かないときは靴のみ）と足の裏の間に簡単にはさみ込み更に足の裏で押えて固定し長時間の使用に耐えることができる足の裏前部３と、円形状の足首を包みやすくしかつ馴染むようにするためと踵部に添って曲がりやすくかつ違和感を無くすためと靴の中の異物となって第２の靴擦れを起こさないための立ち上がり部６と、これら足の裏前部３と立ち上がり部６とを連結する折り曲げ中間部７とからなり、この折り曲げ中間部７は幅を狭く帯状にカットし、靴下又は靴と足の裏でシートが滑らないための滑り止め効果と通気性をよくするために足の裏前部３に適当な大きさ及び数の穴４をあけ、更に立ち上がり部６の内側に殺菌及び治療をするための部材１２を貼りつけている。【選択図】　　図１
2004141589.tif 000002
【特許請求の範囲】
【請求項１】
薄く剛性がありかつ弾力性があり摩擦の少ない水分に強い材質を用いて踵部の位置に固定され、踵部の皮膚をカバーできるように、一枚の独立した壁の役割を果たすシート本体が動いたりズレたりせず皮膚とシートが擦れることなくシート本体の外側だけ（靴下又は靴）が滑るようにしたことを特徴とする靴擦れ防止シート
【請求項２】
シート本体が、足の裏から足首まで届く長さにして、これを靴下又は靴（靴下を履かないときは靴のみ）と足の裏の間に簡単にはさみ込み更に足の裏で押さえて固定し長時間の使用に耐えることができる足の裏前部と、円形状の足首を包みやすくしかつ馴染むようにするためと踵部に添って曲がりやすくかつ違和感を無くすためと靴の中の異物となって第２の靴擦れを起こさないための立ち上がり部とを連結する折り曲げ中間部とからなり、この折り曲げ中間部は幅を狭く帯状にカットし、靴下又は靴（靴下を履かない場合は靴のみ）と足の裏でシートが滑らないための滑り止め効果と通気性をよくするために足の裏前部に適当な大きさの数個の穴をあけ、更に立ち上がり部の内側に殺菌及び治療をするための部材を貼りつけていることを特徴とする靴擦れ防止シート
【発明の詳細な説明】
【０００１】
【発明の属する技術分野】
この発明は靴擦れの防止並びに靴擦れを起こした後に靴を履いても靴擦れによる痛みを解消又は緩和し、更に靴擦れでできた傷口の拡大の防止又は保護、そして傷口の滅菌と治療を目的とする靴擦れ防止シートに関する。
【０００２】
【従来の技術】
従来は靴擦れができた後に靴を履く場合、市販のバンソウコウ、セロテープ等を貼るか痛みを我慢するしかなく、保護したり治療したり靴擦れの予防ができる専門の靴擦れ防止シートはなかった。
【０００３】
【特許文献】
公開特許公報（特開２００２−８５４４６）
【０００４】
【発明が解決しようとする課題】
従来は靴擦れが起きたら痛くて靴を履くことができなかった。またどうしても靴を履く場合は、市販のバンソウコウやテープを貼っていた。しかしバンソウコウやテープは柔らかく皮膚と同化して皮膚のように皺ができたり、皮膚と同じ動きをするのですぐに剥がれてしまい、何度も貼りなおす必要があり、まして靴擦れお痛みを解消することはできなかったし、靴を履くことすら辛いものであった。そこでこの発明は靴擦れの防止ができることと共に、更に靴擦れができても痛みを解消又は緩和して靴が履けるようにすることを課題とする。
【０００５】
更にこの発明は靴擦れができて皮膚が剥がれたり、水ぶくれが壊れても、傷口の拡大を防ぐと共に傷口の殺菌、滅菌、治療が行えることも課題とする。
【０００６】
【課題を解決するための手段】
靴擦れは踵部の皮膚と靴又は靴下が擦れて皮がむけたり、水ぶくれができて起きることが原因の一つでり、また靴擦れが起きた後に靴を履く時の痛さも同じと考えられるが、この皮膚と靴下又は靴が擦れるのを防ぐことにより、靴擦れの防止、傷口の保護ができるように考えた結果、薄くて剛性があり弾力性を持ちかつ水分に強い素材を踵部に固定できれば、靴擦れが起きないことが判った。
【０００７】
そこで立ち上がり部は請求項２の効果で動いたり擦れたりしないでこの靴擦れ防止シートの外側にある靴下及び靴だけが滑るようにした。
【０００８】
このような素材を足の裏から足首まで届く長さにして、これを靴下又は靴（靴下を履かない時は靴のみ）と足の裏の間に簡単に挟み込み靴又は靴下（靴下を履かない時は靴のみ）と足の裏で押さえて固定できるようにした。
【０００９】
円形状の足首を包み易くしかつ馴染むようにするためと踵部に添って曲がり易くかつ違和感を無くすために、折り曲げ中間部は幅を狭く帯状にカットした。
【００１０】
靴下又は靴（靴下を履かない場合は靴のみ）を足の裏でシートが滑らないための滑り止め効果と通気性をよくするために、足の裏前部に適当な大きさ及び数の穴をあけた。
【００１１】
立ち上がり部の内側に殺菌及び治療をするため消毒用のパッド又は布を貼りつけた。
【００１２】
靴下又は靴（靴下を履かない場合は靴のみ）と足の裏で押さえ固定することがきることにより、足首を包み込むために立ち上がり部が動いたり、ずれたり、剥がれたりしないで一枚の独立した壁の役割を果たし、かつ歩行の動きに柔軟についていけるように敢えて剛性と弾力性のある材質にした。
【００１３】
【発明の実施の形態】
この発明の実施の形態を実施例にもとずき図面を参照して説明する。
図１はシート本体１を示す平面図である。．このシート本体１は薄く剛性と弾力性があり摩擦係数の少ない水分に強いシートで形成されており、人の足２に沿って形成された足の裏前部３には適当な大きさと適当な数量の穴４が滑り止めと通気のために形成され、足２の裏から足首５に向けて延長する立ち上がり部６と、これら足の裏前部３と立ち上がり部６を接続する幅狭の折り曲げ中間部７からなる。
【００１４】
足の裏前部３は靴下９又は靴１０に簡単に挿し込めるようにＲを付けてあり、滑り止め及び汗とりのために汗を吸収するパッドや滑り止めようの布からなる部材８を貼りつけ、前記穴４は部材８を通して形成する。また立ち上がり部６は足首５を包囲するような形状をしているが、これら足の裏前部３及び立ち上がり部６は所望に応じて適当な形状とすることができる。
【００１５】
折り曲げ中間部７は幅を狭くして帯状にカットしてある。これは踵部１１の外側に添って曲がり易くすると同時に踵部１１の外側に馴染むようにすることと、装着したときの違和感を少なくするためである。またこの折り曲げ中間部７は靴１０の中で異物となり第２の靴擦れを起こさないためと、靴１０を脱ぐ機会に遭遇した場合にも外側から付けていることが判らないように工夫されている。
【００１６】
足の裏前部３は靴１０の幅に近い程度広くし、立ち上がり部６は靴擦れの起きる範囲をカバーできる幅とする。また、立ち上がり部６の内側には殺菌、治療用のパッド（又は布）１２を貼りつけてある。
【００１７】
この発明の靴擦れ防止シートを使用するには、靴１０を履くに当たって、足２と靴下９の間に前記シート本体１の足の裏前部３を足２の裏に合わせて滑りこませ、折り曲げ中間部７を踵部１１の近くに位置させ、立ち上がり部６を足首５の部分に来るように配置してから、靴下９を履くようにするのである。このようにして靴１０を履けば、靴擦れが生じ易い足首５の部分でこの発明の靴擦れ防止シートの立ち上がり部６が靴１０と内面との間で一枚の独立した壁の役割を果たし、足首５の部分をカバーするため、シート本体１の表面より外側の靴１０及び靴下９のみが滑ることで、靴下９及び靴１０の内面との間の摩擦により生ずる靴擦れを防止することが可能なのである。なおこの場合、靴擦れ防止シート本体１の足の裏前部３は靴１０の内底面と靴下９を隔てた足裏との間で保持されるため、立ち上がり部６が上下や左右にずれる恐れはないのである。
【００１８】
上記実施形態によれば、靴擦れの防止並びに靴擦れを起こした後で靴１０を履いても、靴擦れの痛みを解消又は緩和し更に靴擦れでできた傷口の拡大の防止又は保護そして傷口の滅菌と治療ができるのである。
【００１９】
この発明の靴擦れ防止シートは、足の裏前部３と、立ち上がり部６の材質を変えることができるが、その場合は折り曲げ中間部７が一体となるような構造とする。また足の裏前部３は足２の形（土踏まずがあるような）でもよい。
【００２０】
この発明は市販のバンドエード（商品名）やセロテープ（商品名）のような皮膚と同じような動きをしない、剛性がありかつ弾力性のある材質を用いて踵部１１に固定し、踵部１１とは馴染まない壁の役割を果たし、この靴擦れ防止シートの外側（靴下９又は靴１０）が滑るための構成なので、他の方法（図５）で踵部１１に固定しても効果はあり、この図５に示す実施例は部材１２を足首５に固定するため各辺に形成された、各辺よりも幅の狭い帯状の部分１３に接着材１４を塗布して固定できるようにするのである。
【００２１】
【発明の効果】
以上説明したように、この発明によれば靴擦れができないし、靴擦れができた後でも痛みを感じないで靴を履くことができ、傷口の拡大防止や殺菌、治療が可能となるのである。
【図面の簡単な説明】
【図１】靴擦れ防止シートの平面図である．
【図２】靴擦れ防止シートの側断面図である。
【図３】靴擦れ防止シートの使用時の斜視図である。
【図４】靴擦れ防止シートの着用時の想像図である。
【図５】シート固定する他の方法図である。
【符号の説明】
１　　シート本体
２　　足
３　　足の裏前部
４　　穴
５　　足首
６　　立ち上がり部
７　　折り曲げ中間部
８　　部材
９　　靴下
１０　靴
１１　踵部
１２　部材（パッド又は布）
１３　帯状の部材
１４　接着材
【図１】
2004141589.tif 000003
【図２】
2004141589.tif 000004
【図３】
2004141589.tif 000005
【図４】
2004141589.tif 000006
【図５】
2004141589.tif 000007